(57)【要約】【課題】番組選択時の応答を改善する。【解決手段】２つの放送受信手段２０１，３０１を具備し、ＴＳ切替手段３０２が、その出力を選択してデマルチプレクサ２０２に供給する。チャンネルアップの操作に対して、ＣＰＵ２０７は、番組情報記憶手段２０９の情報をもとに次に設定するチャンネルＮＣＨとして、現在、受信しているチャンネルＣＣＨの「１つ上」のチャンネルを選択する。ＣＰＵ２０７は、放送受信手段２０１，３０１の内、現在、表示用に受信中の放送受信手段でない方にＮＣＨを設定し、その放送受信手段の出力をデマルチプレクサ２０２に供給するようにＴＳ切替手段３０２を制御する。ＮＣＨ，ＣＣＨを更新し、表示用に受信中の放送受信手段でない方の放送受信手段にＮＣＨを予め設定しておく。【選択図】  図３
2004194031.tif 000002
【特許請求の範囲】
【請求項１】
番組を選択するための選択ボタンを有する操作手段と、
互いに独立に番組を選局可能な第１及び第２の選局手段と、
前記操作手段により与えられた番組選択命令をもとに前記第１の選局手段及び前記第２の選局手段に選局命令を出す選局制御手段と、
を備えた放送受信装置において、
前記操作手段の選択ボタンを押した時、前記選局制御手段は前記第１の選局手段と前記第２の選局手段に対して交互に選局命令を出すことを特徴とする番組選択方式。
【発明の詳細な説明】
【０００１】
【発明の属する技術分野】
本発明は、デジタル放送の放送チャンネルの選局方式に関する。
【０００２】
【従来の技術】
アナログ放送では、リモコン等の操作ボタンによりチャンネルを選局して受信周波数を設定する。チューナが、受信信号をベースバンド信号に変換し、ＮＴＳＣ復号器等が色信号、水平同期信号、垂直同期信号及びクロックを生成し、表示器に出力する。更に、チューナ及び復号器を複数系統具備し、マルチ画面で複数のチャンネルを同時表示可能なテレビ受信器が存在する。
【０００３】
デジタル放送の場合、リモコン等の操作ボタンによりチャンネル（サービスＩＤ）を選局することにより受信周波数及びトランスポートストリーム識別（ＴＳＩＤ）を設定する。チューナが、受信信号をトランスポートストリーム（ＴＳ）信号に変換する。ＴＳ信号は、映像、音声及びその他のデータに復号された後、色信号、水平同期信号、垂直同期信号及びクロックが生成され、表示器に印加される。デジタル放送では、デジタルデータであるＴＳ信号をハードディスク等の蓄積メディアに蓄積し、再生することで、タイムシフト視聴を行える。
【０００４】
図１はデジタル放送受信システムの概略構成図を示す。１は、デジタル放送を受信し、複数の番組の受信結果を出力するＩＲＤ（Ｉｎｔｅｇｒａｔｅｄ  Ｒｅｃｅｉｖｅｒ／Ｄｅｃｏｄｅｒ）である。２はＩＲＤ１からの映像音声を出力するモニタ、３は、ＩＲＤ１からモニタ２に映像音声信号を伝送するケーブル、４は、ＩＲＤ１に命令を送るリモートコントローラ（以後、リモコンと略す。）、５は、衛星方法及び地上波等のデジタルテレビ放送信号を受信するアンテナである。
【０００５】
図２は、ＩＲＤ１の概略構成ブロック図を示す。２０１は、アンテナ５からのデジタル放送信号を受信、選局してＴＳ信号を出力する放送受信手段である。２０２は、ＴＳ切替手段２１１から出力されるＴＳ信号をパケット識別子（ＰＩＤ）でフィルタリングし、各種データに分別するデマルチプレクサである。２０３は、デマルチプレクサ２０２によって分別されたＭＰＥＧ２映像データを復号するＭＰＥＧ２ビデオデコーダである。２０４は、ＭＰＥＧ２ビデオデコーダ２０３により復号された映像信号とＣＰＵ２０７により作られた表示データを元に描画した画像を合成しＮＴＳＣ等の表示器に合った信号フォーマットに変換する表示データ生成手段である。
【０００６】
２０５は、デマルチプレクサ２０２によって分別されたＭＰＥＧ２音声データを復号するＭＰＥＧ２オーディオデコーダである。２０６は、ＭＰＥＧ２オーディオデコーダ２０５の復号結果をステレオ音声等の音声信号として外部に出力するＤ／Ａ変換器である。
【０００７】
２０７は、デマルチプレクサ２０２により分別された各種テーブルデータ（ＰＡＴ、ＮＩＴ、ＰＭＴ、ＢＡＴ、ＳＤＴ、ＥＩＴ、ＴＯＴ及びＣＡＴ）及びデータ放送データを解読し、表示すべき情報を表示データ生成手段２０４に出力し、番組情報として記憶すべき情報を番組情報記憶手段２０９に記憶させ、各手段を制御するＣＰＵ（中央処理装置）である。
【０００８】
２０８は、図示しないＣＰＵ、ＲＯＭ及びＲＡＭ等から構成されるＩＣカードの読取装置を含み、ＩＣカードに含まれている暗号解読キーと解読プログラムを用いてデマルチプレクサ２０２により暗号化ＴＳを分別させるコンディショナル・アクセス・モジュール（ＣＡＭ）である。
【０００９】
２０９は、ＣＰＵ２０７により処理された各種テーブルデータを番組選択のための番組情報として記憶し、ＩＲＤ１の電源を切っても内容を失わない番組情報記憶手段である。２１０は、リモコン４等の操作によりチャンネル選択等を行う操作手段、２１１は、放送受信手段２０１から出力されるＴＳ信号をデマルチプレクサ２０２及びＴＳ蓄積手段２１２のどちらに出力するかを切り替え、また、ＴＳ蓄積手段２１２に蓄積されているＴＳ信号をデマルチプレクサ２０２に出力するかどうかを切り替えるＴＳ切替手段である。２１２は、放送受信手段２０１を信号源としてＴＳ信号を蓄積し、蓄積したＴＳ信号をデマルチプレクサに出力するＴＳ蓄積手段である。
【００１０】
使用者が衛星やＣＡＴＶ又は地上波等のデジタル放送を視聴するには、リモコン４等を用いて操作手段２１０を経てＣＰＵ２０７にチャンネル（サービスＩＤ）を指示する。ＣＰＵ２０７は、指示されたチャンネル（サービスＩＤ）に応じた周波数及びＴＳＩＤ等を放送受信手段２０１に設定し、放送受信手段２０１は、アンテナ５で受信した信号から、その周波数及びＴＳＩＤ等の信号を抽出し、ＴＳ信号に変換する。ＴＳ信号はデマルチプレクサ２０２によって映像データ、音声データ、その他データに分別され、映像データはＭＰＥＧ２ビデオデコーダ２０３に、音声データはＭＰＥＧ２オーディオデコーダ２０５に、その他データはＣＰＵ２０７に印加される。
【００１１】
暗号化されたＴＳ信号の場合、復号には、ＣＡＭ２０８の暗号解読キーと解読プログラムが必要となる。ＭＰＥＧ２ビデオデコーダ２０３は、ＭＰＥＧ方式で圧縮されているビデオ信号をデコードし、表示データ生成手段２０４に印加し、表示データ生成手段は、そのビデオ信号を表示用の信号に変換する。ＭＰＥＧ２オーディオデコーダ２０５は、ＭＰＥＧ方式で圧縮されているオーディオ信号をデコードし、Ｄ／Ａ変換器２０６に印加し、Ｄ／Ａ変換器２０６は、Ｄ／Ａ変換された左チャンネルと右チャンネルのオーディオ信号を出力する。復号された映像及び音声は、ケーブル３により接続されたモニタ２に印加され、再生出力される。
【００１２】
また、受信放送を保存し、保存した放送を再生して視聴するタイムシフト視聴を行うには、放送受信手段２０１から出力されるＴＳ信号をＴＳ蓄積手段２１２に蓄積する。その際、ＴＳ信号は、ＴＳ切替手段２１１により放送受信手段２０１からＴＳ蓄積手段２１２に供給される。保存されたＴＳ信号を再生するときには、ＴＳ切替手段２１１は、ＴＳ蓄積手段２１２から記憶されるＴＳ信号を読み出し、デマルチプレクサ２０２に供給する。ＴＳ切替手段２１１は、放送受信手段２０１から出力されるＴＳ信号と、ＴＳ蓄積手段２１２から読み出されるＴＳ信号が同時にデマルチプレクサ２０２に供給されないように動作する。
【００１３】
【発明が解決しようとする課題】
従来、マルチ画面表示を行うことのできるテレビ受信器において、全画面表示の際、複数系統の受信系（チューナ及び復号器等）の一つしか使用されない。
【００１４】
また、デジタルテレビ放送のような多くのチャンネルが存在するサービスにおいて、目的の番組がどのチャンネル番号に対応するのかわからない場合、又は、見たいと思う番組を探す場合に、チャンネル番号のアップダウン、または、番組一覧から番組選択を行うことになる。しかし、この方法では、目的の番組にたどり着くために一つ一つ移動する操作を必要とし、しかも、選局される度に画像復号処理を行うので、目的の番組に到達するのに長い時間がかかってしまう。
【００１５】
本発明は、このような不都合を解消する番組選択方式を提示することを目的とする。
【００１６】
【課題を解決するための手段】
このような課題を解決するため、本発明によれば、複数のチューナを持つテレビ受信器において、リモコン等の操作ボタンの操作方法によって、複数あるチューナへの選局指示の方法を変えることで選局から表示までの時間を短縮する。
【００１７】
【実施例】
以下、図面を参照して、本発明の実施例を詳細に説明する。
【００１８】
（第１実施例）
図３は、本発明の一実施例であるＩＲＤ１ａの概略構成ブロック図である。図２に示す従来例と同じ構成要素には、同じ符号を付してある。即ち、本実施例には第２の放送受信手段３０１を設け、ＴＳ切替手段３０２は、放送受信手段２０１，３０１から出力されるＴＳ信号のＴＳ蓄積手段２１２への供給、並びに、放送受信手段２０１，３０１から出力されるＴＳ信号及びＴＳ蓄積手段２１２から読み出されたＴＳ信号のデマルチプレクサ２０２への供給を制御する。ＴＳ切替手段３０２の機能の詳細は後述する。
【００１９】
ＴＳ蓄積手段２１２は、放送受信手段２０１及び放送受信手段３０１を信号源としてＴＳ信号を蓄積し、蓄積したＴＳ信号をＴＳ切替手段３０２を通してデマルチプレクサ２０２に出力することで、タイムシフト視聴が実現される。
【００２０】
このような、２つの放送受信手段２０１、３０１を持ち、番組の視聴中に別番組を保存可能な構成において、ＴＳ蓄積手段２１２を使用していない場合、放送受信手段２０１及び同３０１のどちらかが使われていない状況となる。このような状況において使用者が視聴する場合で、目的の番組のチャンネルが予め決まっていないとき、使用者は視聴したいと思う番組を探さなくてはならない。
【００２１】
図４は、リモコン４の平面図を示す。４０１は、図３に示すＩＲＤ１ａをコントロールするための命令を入力する操作ボタン、４０２は、操作ボタン４０１の命令を赤外線等の無線信号として送信する送信部である。
【００２２】
操作ボタン４０１は、ＩＲＤ１ａの電源のオン・オフを決める電源ボタン、希望の数字を入力するための０〜９の数字ボタン、数字ボタンの入力を取り消す取消ボタン、数字ボタンの入力を決定する決定ボタン、電子番組情報の表示を指示する番組情報ボタン、ＴＳ蓄積手段２１２に対して蓄積を指示する録画ボタン、再生を指示する再生ボタン、停止を指示する停止ボタン、電子番組情報からの番組検索を指示する番組検索ボタン、出力音声の音量の増減を指示する音量＋−ボタン、出力音声の断を指示する消音ボタン、及びチャンネル番号の増減を指示するチャンネル＋−ボタン等がある。
【００２３】
使用者が目的の番組を探すもっとも簡単な操作方法は、操作ボタン４０１のチャンネル＋−ボタンにより、受信可能なチャンネルを逐次、選局する方法である。デジタル放送では、受信可能なチャンネル番号が０００〜９９９まであり、番組の数が非常に多い。その結果、使用者はたくさんある番組の中から目的の番組を選択することが困難となる。目的のチャンネル番号が判っている場合は、数字ボタンで３桁入力後、決定ボタンを押すことで選局できる。
【００２４】
目的とする番組がはっきり決まっていない場合、チャンネル＋−ボタンを押すことでチャンネル番号を変更し、気に入る番組まで移動しながら探し選択することとなる。この選局方法は、チャンネル＋−ボタンを押す毎に番組の選局を行い、放送を復号することになる。しかし、デジタル放送は、アナログ放送と違い、復号により長い時間がかかる。第１に、放送受信手段２０１，３０１を目的のチャンネルに設定し、受信状態が安定するまでに約０．４秒かかると言われている。第２に、ＭＰＥＧ２で圧縮された画像を復号するためにはイントラピクチャ（Ｉピクチャ）を受信しなければならず、Ｉピクチャは最大０．５秒、送られて来ない場合がある。これらの条件により、チャンネル＋−ボタンを押してから表示されるまでには、最大約１秒くらいの時間がかかってしまう。また、この問題は、使用者が操作してから番組が表示されるまでの時間差により強調され、使用者が誤操作する可能性を多くしてしまう。
【００２５】
本実施例では、チャンネル＋−ボタンを操作した場合、チャンネル＋ボタンかチャンネル−ボタンかで放送受信手段２０１と同３０１への受信設定を決める。受信可能なチャンネル番号はＮＩＴ（ネットワーク情報テーブル）に記述されており、このチャンネル番号情報（サービスリスト）は番組情報記憶手段２０９に記憶されている。チャンネル番号情報には、サービスＩＤ（プログラムナンバー及びチャンネル番号）、サービスタイプ、放送周波数及びＴＳＩＤ等が含まれる。通常、この情報は変化しないので、一度記憶しておくことにより、変化したかどうかを確認するだけでよい。
【００２６】
本実施では、ＮＩＴに変化がない状況で、かつチャンネル番号情報は既に番組情報記憶手段２０９に記憶されているものとし、組情報記憶手段２０９への記憶方法及び更新方法については説明しない。図６は、番組情報記憶手段２０９に記憶する情報の例を示す。
【００２７】
ＩＲＤ１ａの電源を入れると、放送受信手段２０１、３０１は、以前、電源を切った時の設定に応じてそれぞれ受信する。また、ＴＳ切替手段３０２も、電源を切った時の切替状態に切り替わる。ここで、放送受信手段２０１とデマルチプレクサ２０２がつながっており、放送受信手段２０１から出力されるＴＳがデマルチプレクサ２０２に入力されていると仮定する。この状態では、ＴＳ蓄積手段２１２は動作しておらず、放送受信手段３０１はどこともつながっていない状態で、モニタ２は、放送受信手段２０１の受信している番組を表示する。
【００２８】
この状態において、操作ボタン４０１のチャンネル＋−ボタンの操作における放送受信手段２０１，３０１及びＴＳ切替手段３０２の設定を説明する。図５は、使用者がチャンネル＋−ボタンを押した場合における設定の動作フローチャートである。放送受信手段２０１は１６１ｃｈを受信し、出力中であるとする。
【００２９】
使用者がチャンネル＋ボタンを押した場合、Ｓ５０１において、ＣＰＵ２０７はリモコン４からの命令を解析し、その指示がチャンネルアップであると判したとする。Ｓ５０２において、ＣＰＵ２０７は、番組情報記憶手段２０９の情報をもとに次に設定するチャンネル（以後、ＮＣＨとする）として、現在、受信しているチャンネル（以後、ＣＣＨとする）の「１つ上」のチャンネルを選択する。「１つ上」とは、番組情報記憶手段２０９に記憶されている受信可能番組の中で、現在、受信しているチャンネル番号の次に大きいチャンネル番号をもつチャンネルのことである。図６に示す例では、ＣＣＨが１６１ｃｈである時、ＮＣＨは１７１ｃｈである。
【００３０】
Ｓ５０３において、ＣＰＵ２０７は、現在、出力されているチャンネルが放送受信手段２０１（以後、Ａとする）のチャンネルであるならば、放送受信手段３０１（以後、Ｂとする）にＮＣＨを設定し、現在、出力されているチャンネルがＢのチャンネルであるならば、ＡにＮＣＨを設定する。結局、ＢにＮＣＨの１７１ｃｈを設定する。
【００３１】
Ｓ５０４において、ＣＰＵ２０７は、ＴＳ切替手段３０２に対して、現在、出力されているチャンネルがＡのチャンネルであるならば、Ｂに出力を切り替え、現在、出力されているチャンネルがＢのチャンネルであるならば、Ａに出力を切り替える。結局、出力をＢに切り替え、１７１ｃｈを表示する。
【００３２】
Ｓ５０５において、ＣＰＵ２０７は、ＣＣＨにＮＣＨの値を代入し、ＮＣＨに「１つ上」のチャンネルを選択する。これにより、図６に示す例では、ＣＣＨが１７１ｃｈ、ＮＣＨが１８１ｃｈになる。
【００３３】
Ｓ５０６において、ＣＰＵ２０７は、現在、出力されているチャンネルがＡのチャンネルであるならば、ＢにＮＣＨを設定し、現在、出力されているチャンネルがＢのチャンネルであるならば、ＡにＮＣＨを設定する。これにより、ＡにＮＣＨの１８１ｃｈが設定される。
【００３４】
Ｓ５０７において、ＣＰＵ２０７はリモコン４からの命令の解析を行い指示されたことがチャンネルアップであると判断したとする。Ｓ５０８において、ＣＰＵ２０７は、ＴＳ切替手段３０２に対して現在、出力されているチャンネルがＡのチャンネルであるならばＢに出力を切り替え、現在、出力されているチャンネルがＢのチャンネルであるならばＡに出力を切り替える。これにより、出力をＡに切り替え、１８１ｃｈを表示する。
【００３５】
使用者がチャンネル＋ボタンを押し続けると、逐次、「１つ上」のチャンネルが出力されていない放送受信手段に設定され、ボタンを押すことで出力が切り替わる。ただし、チャンネルが上限である９９９ｃｈを超える設定となる場合は、０ｃｈに戻って設定する。
【００３６】
Ａが１６１ｃｈを受信し、出力中である場合、Ｓ５０１及びＳ５０７において、ＣＰＵ２０７が、リモコンからの命令の解析を行い、指示されたのがチャンネルダウンであると判断すると、Ｓ５０９において、ＣＰＵ２０７は、番組情報記憶手段２０９の情報をもとに、Ｓ５０２において、ＮＣＨとしてＣＣＨの「１つ下」のチャンネルを選択する。「１つ下」とは、番組情報記憶手段２０９に記憶されている受信可能番組の中で、現在、受信しているチャンネル番号の次に小さいチャンネル番号をもつチャンネルのことである。図６に示す例では、ＣＣＨが１６１ｃｈである時、ＮＣＨは１５１ｃｈである。
【００３７】
Ｓ５１０において、ＣＰＵ２０７は、現在、出力されているチャンネルがＡのチャンネルあるならば、ＢにＮＣＨを設定し、現在、出力されているチャンネルがＢのチャンネルであるならば、ＡにＮＣＨを設定する。これにより、ＢにＮＣＨとして１５１ｃｈが設定される。
【００３８】
Ｓ５１１において、ＣＰＵ２０７は、ＴＳ切替手段３０２に対して現在、出力されているチャンネルがＡのチャンネルであるならば、Ｂに出力を切り替え、現在、出力されているチャンネルがＢのチャンネルであるならば、Ａに出力を切り替える。これにより、出力がＢに切り替わり、１５１ｃｈが表示される。
【００３９】
Ｓ５１２において、ＣＰＵ２０７は、ＣＣＨにＮＣＨの値を代入し、ＮＣＨに「１つ下」のチャンネルを選択する。これにより、ＣＣＨは１５１ｃｈになり、ＮＣＨは１４１ｃｈになる。
【００４０】
Ｓ５１３において、ＣＰＵ２０７は、現在、出力されているチャンネルがＡのチャンネルであるならば、ＢにＮＣＨ設定し、現在、出力されているチャンネルがＢのチャンネルであるならば、ＡにＮＣＨを設定する。これにより、ＡにＮＣＨとして１４１ｃｈが設定される。
【００４１】
Ｓ５１４において、ＣＰＵ２０７は、リモコンからの命令を解析し、その指示がチャンネルダウンであると判断すると、以下のように処理する。即ち、Ｓ５１５において、ＣＰＵ２０７は、ＴＳ切替手段２１１に対して現在、出力されているチャンネルがＡのチャンネルであるならばＢに出力を切り替え、現在、出力されているチャンネルがＢのチャンネルであるならばＡに出力を切り替える。これにより、出力がＡに切り替えられ、１４１ｃｈが表示される。
【００４２】
使用者がチャンネルボタンを押し続けると、逐次、「１つ下」のチャンネルが出力されていない放送受信手段に設定され、ボタンを押すことで出力が切り替わる。ただし、チャンネルが下限である０ｃｈに達すると、９９９ｃｈに戻り、再設定される。
【００４３】
このように、放送受信手段２０１及び放送受信手段３０１が受信設定にかかる時間分を短縮して出力することが可能となるので、使用者の指示に対してより早く反応することが可能となり、使用者は、誤操作することなく目的の番組を探すことができる。
【００４４】
（第２実施例）
図７は、本発明の第２実施例のＩＲＤ１Ｂの概略構成ブロック図を示す。従来例及び第１実施例と同じ構成要素には同じ符号を付してある。
【００４５】
７０１は、放送受信手段２０１，３０１と同様に、アンテナ５からのデジタル放送信号を受信、選局してＴＳ信号を出力する放送受信手段である。７０２は、デマルチプレクサ２０２と同様に、ＴＳ切替手段７０６から出力されるＴＳ信号をパケット識別子（ＰＩＤ）でフィルタリングし、各種データに分別するデマルチプレクサである。７０３は、デマルチプレクサ７０２によって分別されたＭＰＥＧ２映像データを復号するＭＰＥＧ２ビデオデコーダである。７０４は、デマルチプレクサ７０２によって分別されたＭＰＥＧ２音声データを復号するＭＰＥＧ２オーディオデコーダである。７０５は、ＣＡＭ２０８と同様に、図示しないＣＰＵ、ＲＯＭ及びＲＡＭ等から構成されるＩＣカードの読取装置を含み、ＩＣカードに含まれている暗号解読キーと解読プログラムを用いてデマルチプレクサ７０２により暗号化ＴＳを分別させるコンディショナル・アクセス・モジュール（ＣＡＭ）である。
【００４６】
ＴＳ切替手段７０６は、放送受信手段２０１、放送受信手段３０１及び放送受信手段７０１から出力されるＴＳ信号をデマルチプレクサ２０２、デマルチプレクサ７０２及びＴＳ蓄積手段２１２のいずれに出力するかを切り替えることができ、また、ＴＳ蓄積手段２１２に蓄積されているＴＳ信号をデマルチプレクサ２０２及びデマルチプレクサ７０２に出力するかどうかを切り替えることができる。
【００４７】
このような、３つの放送受信手段２０１、３０１、７０１を持ち、２番組同時出力可能で、番組の視聴中に別番組を保存可能な構成において、２番組同時出力をせず、ＴＳ蓄積手段２１２を使用していない場合、放送受信手段２０１，３０１及び７０１のいずれかしか使われていない状況となる。このような状況で使用者が視聴する場合、目的の番組のチャンネルが予め決まっていないことが考えられ、使用者は視聴したいと思う番組を探さなくてはならない。
【００４８】
使用者は、リモコン４等を用いてチャンネルを変更することにより番組を選択することとなるが、本実施例では、電子番組情報を用いた画面操作により番組を選択でき、その際に複数の放送受信手段２０１，３０１，７０１を使用する。
【００４９】
図８は、電子番組情報を用いた番組検索の表示例を示す。８０１は、番組一覧、ジャンル、キーワード等の項目が含まれる電子番組情報から番組を検索するための検索種類の項目、８０２は、検索種類の項目８０１でジャンルが選択された際のジャンル項目、８０３は、番組検索の操作に用いるリモコン４のキーガイド、８０４は、検索の実行を行うか否かを選択する決定項目、８０５は、現在受信している番組を見ることができるプレビュー画面である。
【００５０】
ここでは、番組検索の種類としてジャンルを選択し、ジャンル項目で「報道・時事」を選択する例を説明する。
【００５１】
使用者は、リモコン４の操作ボタン４０１にある番組検索ボタンを押すことで、図８に示す表示例にある番組検索の画面が表示される。使用者は、この画面上で電子番組情報を用いた番組検索を行うことができる。
【００５２】
操作ボタン４０１の数字ボタン２、４、６、８を方向キーとして用いる。即ち、数字ボタン４が左で６が右への移動で項目移動ボタンとして機能し、数字ボタン２が上で８が下への移動で項目選択として機能する。
【００５３】
まず、検索種類の項目８０１に表示されている項目を選択する。この例では、ジャンルを選択し、右に移動することで項目を決定する。
【００５４】
ジャンルを選択したことでジャンル項目８０２が表示され、その何れかの項目が選択可能になる。図８に示す例では、「報道・時事」が選択されている。
【００５５】
以上の選択で良ければ、実行項目８０４で「決定」を選択し、右に移動して、その選択を決定する。右に移動して決定する代わりに、リモコン４の操作ボタン４０１の決定ボタンを押すことによっても、決定することができる。これらの操作方法は、キーガイド８０３に表示される。
【００５６】
その他、検索種類として番組一覧を選択した場合は、チャンネル順の番組一覧（図示せず。）が検索結果として表示される。また、検索種類としてキーワードを選択した場合、次にキーワードを決めるための入力手段が現れ、キーワードを決めると、キーワードに一致する語句が入っている番組一覧（図示せず。）が検索結果として表示される。
【００５７】
検索結果は、検索結果画面に表示される。図９は、検索結果画面の一例を示す。報道・時事のジャンルに適合する番組一覧の表示例であり、９０１は、ジャンル検索の報道・時事によることを示す検索方法項目、９０２は、検索方法項目９０１の条件に適合した番組の番組一覧、９０３は、番組一覧９０２から番組を選択するための操作に用いるリモコン４のキーガイド、９０４は、選択を終了するか否かを選択する決定項目、９０５は、リモコン４を用いて番組一覧９０２の中の番組を選択した時に、その番組またはそのチャンネルを見ることができるプレビュー画面、９０６は、リモコン４を用いて番組選択等を行うためのカーソルである。
【００５８】
使用者が目的の番組を探す方法として、上述したような画面操作によって電子番組情報から番組を選択する方法がある。検索結果がただ１つであれば、使用者はその番組を見るか見ないかだけを決めればよいが、検索結果の番組が複数ある場合、使用者は気に入る番組までカーソル９０６を移動しながら、個々の番組を選択しなくてはならない。
【００５９】
本実施例によれば、リモコン４の操作ボタン４０１を操作して放送受信手段２０１、３０１、７０１への受信設定を決める。受信を行うチャンネルのチャンネル番号は検索結果の番組一覧９０２に記述されており、この情報と放送受信手段２０１、３０１、７０１の設定に必要なチャンネル番号情報は、番組情報記憶手段２０９に記憶されている。
【００６０】
放送受信手段２０１、３０１、７０１は、番組検索を行う前の設定に応じてそれぞれ受信する。また、ＴＳ切替手段７０６についても、番組検索を行う前の切替状態を維持する。ここで、放送受信手段２０１とデマルチプレクサ２０２、放送受信手段３０１とデマルチプレクサ７０２がつながっており、放送受信手段２０１から出力されるＴＳがデマルチプレクサ２０２に入力され、放送受信手段３０１から出力されるＴＳがデマルチプレクサ７０２に入力されていると仮定する。この状態では、ＴＳ蓄積手段２１２は動作しておらず放送受信手段７０１はどこともつながっていない状態にあり、モニタ２は、放送受信手段２０１の受信している番組を表示し、放送受信手段３０１の受信している番組を表示していない。
【００６１】
この状態において、番組一覧９０２を操作ボタン４０１の項目選択の上方向ボタンと下方向ボタンの操作により放送受信手段２０１、３０１、７０１、ＴＳ切替手段７０６、表示データ生成手段２０４及びＤ／Ａ変換器２０６を設定する動作を説明する。図１０及び図１１は、使用者が項目選択の上方向ボタンと下方向ボタンを押した場合の動作フローチャートである。
【００６２】
放送受信手段２０１は７０１ｃｈを受信し、デマルチプレクサ２０２に接続して出力中であるとする。このときに、使用者が項目選択の下方向ボタンを押したとする。Ｓ１００１において、ＣＰＵ２０７はリモコン４からの命令を解析し、指示が項目選択の下方向であると判断すると、Ｓ１００２において、ＣＰＵ２０７は、前に設定されていたチャンネル（以後、ＰＣＨという。）が現在、出力しているチャンネル（以後、ＣＣＨという。）の「１つ下」のチャンネルかどうかを判断する。この時点では、ＰＣＮは設定されていない。「１つ下」とは、番組情報記憶手段２０９に記憶されている検索結果の番組一覧９０１の下方向にある番組のチャンネルを示す。
【００６３】
Ｓ１００３において、ＣＰＵ２０７は、番組情報記憶手段２０９の情報をもとに次に設定するチャンネル（以後、ＮＣＨという。）としてＣＣＨの「１つ下」のチャンネルを選択する。図９の番組一覧９０２で言うと、ＣＣＨが７０１ｃｈである時、ＮＣＨは９１０ｃｈである。
【００６４】
Ｓ１００４において、ＣＰＵ２０７は、現在、出力されているチャンネルが放送受信手段２０１（以後、Ａとする。）のチャンネルであるならば、放送受信手段３０１（以後、Ｂとする。）を接続対象としてＮＣＨを設定し、現在、出力されているチャンネルがＢのチャンネルであるならば、放送受信手段７０１（以後、Ｃとする。）を接続対象としてＮＣＨを設定し、現在、出力されているチャンネルがＣのチャンネルであるならば、Ａを接続対象としてＮＣＨを設定する。これにより、Ｂを接続対象としてＮＣＨの９１０ｃｈが設定される。
【００６５】
Ｓ１００５において、ＣＰＵ２０７は、Ｓ１００２でＹＥＳならば、ＮＣＨにＰＣＨの値を代入し、現在、出力されているチャンネルがＡのチャンネルであるならば、Ｂを接続対象とし、現在、出力されているチャンネルがＢのチャンネルであるならば、Ｃを接続対象とし、現在、出力されているチャンネルがＣのチャンネルであるならば、Ａを接続対象としてそれぞれ設定する。この詳細は後述する。
【００６６】
Ｓ１００６において、ＣＰＵ２０７は、接続対象とされた放送受信手段に対して、現在、出力されているデマルチプレクサがデマルチプレクサ２０２（以後、Ｄ１とする。）であるならば、デマルチプレクサ７０２（以後、Ｄ２とする。）を接続し、現在、出力されているデマルチプレクサがＤ２であるならば、Ｄ１を接続するように、ＴＳ切替手段７０６を切り替える。これにより、ＢとＤ２が接続する。
【００６７】
Ｓ１００７において、ＣＰＵ２０７は、表示データ生成手段２０４及びＤ／Ａ変換器２０６に対して、現在、出力されているデマルチプレクサがＤ１であるならばＤ２を出力し、現在、出力されているデマルチプレクサがＤ２であるならばＤ１を出力するように、設定する。これにより、出力をＤ２とし、Ｂの９１０ｃｈがプレビュー表示される。
【００６８】
Ｓ１００８において、ＣＰＵ２０７は、ＰＣＨにＣＣＨの値を代入し、ＣＣＨにＮＣＨの値を代入し、ＮＣＨに「１つ下」のチャンネルを選択する。これにより、ＰＣＨが７０１ｃｈ、ＣＣＨが９１０ｃｈ、ＮＣＨが９５６ｃｈになる。
【００６９】
Ｓ１００９において、ＣＰＵ２０７は、現在、出力されているチャンネルがＡのチャンネルであるならば、Ｂを接続対象としてＮＣＨを設定し、現在、出力されているチャンネルがＢのチャンネルであるならば、Ｃを接続対象としてＮＣＨを設定し、現在、出力されているチャンネルがＣのチャンネルであるならば、Ａを接続対象としてＮＣＨを設定する。これにより、Ｃを接続対象としてＮＣＨの９５６ｃｈが設定される。
【００７０】
Ｓ１０１０において、ＣＰＵ２０７は、接続対象とされた放送受信手段に対して、現在、出力されているデマルチプレクサがＤ１であるならばＤ２を接続し、現在、出力されているデマルチプレクサがＤ２であるならばＤ１を接続するように、ＴＳ切替手段７０６を切り替える。これにより、ＣとＤ１が接続する。
【００７１】
Ｓ１０１１において、ＣＰＵ２０７は、リモコン４からの命令を解析し、その指示が項目選択の下方向であると判断すると、Ｓ１０１２において、ＣＰＵ２０７は、表示データ生成手段２０４及びＤ／Ａ変換器２０６に対して、現在、出力されているデマルチプレクサがＤ１であるならばＤ２を出力し、現在、出力されているデマルチプレクサがＤ２であるならばＤ１を出力するように設定する。これにより、出力をＤ１とし、Ｃの９５６ｃｈがプレビュー表示される。
【００７２】
使用者が項目選択の下方向ボタンを押し続けると、逐次、「１つ下」のチャンネルが放送受信手段に設定され、ボタンを押すことで出力が切り替わる。ただし、チャンネルが番組一覧９０２の中で最後の番組を超える操作となる場合は、先頭の番組に戻る。
【００７３】
また、Ａが７０１ｃｈを受信し、デマルチプレクサ２０２に接続して出力中である場合に、Ｓ１００１において、ＣＰＵ２０７が、リモコン４からの命令を解析し、その指示が項目選択の上方向であると判断したとする。Ｓ１０１３において、ＣＰＵ２０７は、ＰＣＨがＣＣＨの「１つ上」のチャンネルかどうか判断する。「１つ上」とは、番組情報記憶手段２０９に記憶されている検索結果の番組一覧９０１の上方向にある番組のチャンネルのことである。
【００７４】
Ｓ１０１４において、ＣＰＵ２０７は、番組情報記憶手段２０９の情報をもとにＮＣＨとしてＣＣＨの「１つ下」のチャンネルを選択する。図９の番組一覧９０１で言うと、ＣＣＨが７０１ｃｈである時、ＮＣＨは番組一覧９０２の中で最後にある番組の１６１ｃｈである。
【００７５】
Ｓ１０１５において、ＣＰＵ２０７は、現在、出力されているチャンネルがＡのチャンネルであるならば、Ｃを接続対象としＮＣＨを設定し、現在、出力されているチャンネルがＢのチャンネルであるならば、Ａを接続対象としＮＣＨを設定し、現在、出力されているチャンネルがＣのチャンネルであるならば、Ｂを接続対象としＮＣＨを設定する。これにより、Ｃを接続対象としてＮＣＨの１６１ｃｈを設定する。
【００７６】
Ｓ１０１６において、Ｓ１０１３においてＹＥＳの場合、ＮＣＨにＰＣＨの値を代入し、
ＮＣＨにＰＣＨの値を代入し、現在、出力されているチャンネルがＡのチャンネルであるならば、Ｃを接続対象として設定し、現在、出力されているチャンネルがＢのチャンネルであるならば、Ａを接続対象として設定し、現在、出力されているチャンネルがＣのチャンネルであるならば、Ｂを接続対象として設定する。詳細は、後述する。
【００７７】
Ｓ１０１７において、ＣＰＵ２０７は、接続対象とされた放送受信手段に対して、現在、出力されているデマルチプレクサがＤ１であるならばＤ２を接続し、現在、出力されているデマルチプレクサがＤ２であるならばＤ１を接続するように、ＴＳ切替手段７０６を切り替える。これにより、ＣとＤ２が接続する。
【００７８】
Ｓ１０１８において、ＣＰＵ２０７は、表示データ生成手段２０４及びＤ／Ａ変換器２０６に対して、現在、出力されているデマルチプレクサがＤ１であるならば、Ｄ２を出力し、現在、出力されているデマルチプレクサがＤ２であるならば、Ｄ１を出力するように、設定する。これにより、出力をＤ２とし、Ｃの１６１ｃｈがプレビュー表示される。
【００７９】
Ｓ１０１９において、ＣＰＵ２０７は、ＰＣＨにＣＣＨの値を代入し、ＣＣＨにＮＣＨの値を代入し、ＮＣＨに「１つ下」のチャンネルを選択する。これにより、ＰＣＨが７０１ｃｈ、ＣＣＨが１６１ｃｈ、ＮＣＨが１４１ｃｈとなる。
【００８０】
Ｓ１０２０において、ＣＰＵ２０７は、現在、出力されているチャンネルがＡのチャンネルであるならば、Ｃを接続対象としてＮＣＨを設定し、現在、出力されているチャンネルがＢのチャンネルであるならば、Ａを接続対象としてＮＣＨを設定し、現在、出力されているチャンネルがＣのチャンネルであるならば、Ｂを接続対象としてＮＣＨを設定する。これにより、Ｂを接続対象として、ＮＣＨの１４１ｃｈが設定される。
【００８１】
Ｓ１０２１において、ＣＰＵ２０７は、接続対象とされた放送受信手段に対して、現在、出力されているデマルチプレクサがＤ１であるならば、Ｄ２を接続し、現在、出力されているデマルチプレクサがＤ２であるならばＤ１を接続するように、ＴＳ切替手段７０６を切り替える。これにより、ＢとＤ１が接続する。
【００８２】
Ｓ１０２２において、ＣＰＵ２０７は、リモコン４からの命令を解析し、その指示が項目選択の上方向であると判断したとする。Ｓ１０２３において、ＣＰＵ２０７は、表示データ生成手段２０４及びＤ／Ａ変換器２０６に対して、現在、出力されているデマルチプレクサがＤ１であるならばＤ２を出力し、現在、出力されているデマルチプレクサがＤ２であるならばＤ１を出力するように、設定する。これにより、出力をＤ１とし、Ｂの１４１ｃｈがプレビュー表示される。
【００８３】
使用者が項目選択の上方向ボタンを押し続けると、逐次、「１つ上」のチャンネルが放送受信手段に設定され、ボタンを押すことで出力が切り替わる。ただし、チャンネルが番組一覧９０２の中で先頭を超える操作となる場合は、最後の番組に戻る。
【００８４】
次に、Ｓ１０１１において上方向の操作が行われた場合の動作を説明する。出力をＤ２とし、Ｂの９１０ｃｈがプレビュー表示されていたとする。ＰＣＨが７０１ｃｈ、ＣＣＨが９１０ｃｈ、ＮＣＨが９５６ｃｈであるとする。
【００８５】
Ｓ１０１１において、ＣＰＵ２０７は、リモコン４からの命令を解析し、その指示が項目選択の上方向であると判断したとする。このとき、Ｓ１０１３において、ＣＰＵ２０７は、ＰＣＨがＣＣＨの「１つ上」のチャンネルかどうかを判断する。ＹＥＳであるので、Ｓ１０１６において、ＮＣＨにＰＣＨの値を代入し、現在、出力されているチャンネルがＡのチャンネルであるならば、Ｃを接続対象として設定し、現在、出力されているチャンネルがＢのチャンネルであるならば、Ａを接続対象として設定し、現在、出力されているチャンネルがＣのチャンネルであるならば、Ｂを接続対象として、設定する。これにより、Ａが接続対象として設定される。
【００８６】
Ｓ１０１７において、ＣＰＵ２０７は、接続対象とされた放送受信手段に対して、現在、出力されているデマルチプレクサがＤ１であるならば、Ｄ２を接続し、現在、出力されているデマルチプレクサがＤ２であるならばＤ１を接続するように、ＴＳ切替手段７０６を切り替える。これにより、ＡとＤ１が接続する。
【００８７】
Ｓ１０１８において、ＣＰＵ２０７は、表示データ生成手段２０４及びＤ／Ａ変換器２０６に対して、現在、出力されているデマルチプレクサがＤ１であるならば、Ｄ２を出力し、現在、出力されているデマルチプレクサがＤ２であるならば、Ｄ１を出力するように、設定する。これにより、出力をＤ１とし、Ａの７０１ｃｈがプレビュー表示される。
【００８８】
以後、同様の動作をし、Ｓ１０２２において下方向の操作をした場合においても、逐次、チャンネルが放送受信手段に設定され、ボタンを押すことで出力が切り替わる。
【００８９】
次に、Ｓ１０２２において下方向の操作が行われた場合の動作を説明する。このとき、出力をＤ２とし、Ｃの１６１ｃｈがプレビュー表示されているとする。ＰＣＨが７０１ｃｈ、ＣＣＨが１６１ｃｈ、ＮＣＨが１４１ｃｈであるとする。
【００９０】
Ｓ１０２２において、ＣＰＵ２０７は、リモコン４からの命令を解析し、その指示が項目選択の下方向であると判断したとする。Ｓ１００２において、ＣＰＵ２０７は、ＰＣＨがＣＣＨの「１つ下」のチャンネルかどうかを判断する。ＹＥＳであるので、Ｓ１００５において、ＣＰＵ２０７は、ＮＣＨにＰＣＨの値を代入し、現在、出力されているチャンネルがＡのチャンネルであるならば、Ｂを接続対象として設定し、現在、出力されているチャンネルがＢのチャンネルであるならば、Ｃを接続対象として設定し、現在、出力されているチャンネルがＣのチャンネルであるならば、Ａを接続対象として設定する。これにより、Ａが接続対象として設定される。
【００９１】
Ｓ１００６において、ＣＰＵ２０７は、接続対象とされた放送受信手段に対して、現在、出力されているデマルチプレクサがＤ１であるならば、Ｄ２を接続し、現在、出力されているデマルチプレクサがＤ２であるならば、Ｄ１を接続するように、ＴＳ切替手段７０６を切り替える。これにより、ＡとＤ１が接続する。
【００９２】
Ｓ１００７において、ＣＰＵ２０７は、表示データ生成手段２０４及びＤ／Ａ変換器２０６に対して、現在、出力されているデマルチプレクサがＤ１であるならば、Ｄ２を出力し、現在、出力されているデマルチプレクサがＤ２であるならばＤ１を出力するように、設定する。出力をＤ１とし、Ａの７０１ｃｈがプレビュー表示される。
【００９３】
以後、同様の動作をし、Ｓ１０１１において上方向の操作をした場合においても、逐次、チャンネルが放送受信手段に設定され、ボタンを押すことで出力が切り替わる。
【００９４】
このように、放送受信手段２０１，３０１，７０１が受信設定され、更に、ＴＳ切替手段７０６によるＭＰＥＧ２ビデオデコーダ２０３，７０３、及びＭＰＥＧ２オーディオデコーダ２０５，７０４との接続でデコード処理もあらかじめ行えることより、処理にかかる時間を短縮して出力することが可能となる。これにより、使用者の指示に対してより早く反応することが可能となり、使用者は、誤操作することなく目的の番組をスムーズに探すことができる。
【００９５】
（他の実施態様）
本発明の好ましい実施態様を以下に列挙する。
【実施態様１】操作手段により与えられた番組選択命令により、第１の選局手段が選局を完了した場合、操作手段からの次の番組選択命令が出される前に、第２の選局手段に対して、前記操作手段の操作方法により次と予想される番組の選局命令を出し、
操作手段により与えられた番組選択命令により、第２の選局手段が選局を完了した場合、操作手段からの次の番組選択命令が出される前に、第１の選局手段に対して、前記操作手段の操作方法により次と予想される番組の選局命令を出すことを特徴とする請求項１の番組選択方式。
【実施態様２】番組を選択するための選択ボタンを有する操作手段と、
互いに独立に番組を選局可能な第１、第２及び第３の選局手段と、
前記操作手段により与えられた番組選択命令をもとに前記第１の選局手段及び前記第２の選局手段及び前記第３の選局手段に選局命令を出す選局制御手段と、を備えた放送受信装置において、
前記操作手段の選択ボタンを押した時、前記選局制御手段は前記第１の選局手段と前記第２の選局手段と前記第３の選局手段に対して輪番に選局命令を出し、前記操作手段の選択ボタンが以前と逆順であると判断した場合は、前記第１の選局手段と前記第２の選局手段と前記第３の選局手段に対して以前と逆の輪番で選局命令を出すことを特徴とする番組選択方式。
【実施態様３】操作手段により与えられた番組選択命令により、選局制御手段は第１の選局手段への選局を完了した場合、操作手段からの次の番組選択命令が出される前に、第２の選局手段に対して前記操作手段の操作方法により次と予想される番組の選局命令を出し、前記操作手段により予想とは逆順の番組選択命令が出された場合、第３の選局手段の選局が適合していなかったならば第３の選局手段に対して正しい選局命令を出し、
操作手段により与えられた番組選択命令により、選局制御手段は第２の選局手段への選局を完了した場合、操作手段からの次の番組選択命令が出される前に、第３の選局手段に対して前記操作手段の操作方法により次と予想される番組の選局命令を出し、前記操作手段により予想とは逆順の番組選択命令が出された場合、第１の選局手段の選局が適合していなかったならば第１の選局手段に対して正しい選局命令を出し、
操作手段により与えられた番組選択命令により、選局制御手段は第３の選局手段への選局を完了した場合、操作手段からの次の番組選択命令が出される前に、第１の選局手段に対して前記操作手段の操作方法により次と予想される番組の選局命令を出し、前記操作手段により予想とは逆順の番組選択命令が出された場合、第２の選局手段の選局が適合していなかったならば第２の選局手段に対して正しい選局命令を、出すことを特徴とする実施態様２に記載の番組選択方式。
【実施態様４】番組を選択するための選択ボタンを有する操作手段と、
番組を選局するための複数台の選局手段と、
前記操作手段により与えられた番組選択命令をもとに前記複数台の選局手段に選局命令を出す選局制御手段と、
を備えた放送受信装置において、
前記操作手段の選択ボタンを押した時、前記選局制御手段は前記複数台の選局手段に対して輪番に選局命令を出し、前記操作手段の選択ボタンが以前と逆順であると判断した場合は、前記複数台の選局手段に対して以前と逆の輪番で選局命令を出すことを特徴とする番組選択方式。
【実施態様５】前記操作手段は、前記放送受信装置とは離れたところにあり、
前記番組選局手段に与える命令を送信するための送信手段を有し、
前記放送受信装置は前記送信手段からの命令を受信するための受信手段を有することを特徴とする請求項１、又は実施態様１乃至４の何れか１項に記載の番組選択方式。
【００９６】
【発明の効果】
以上の説明から容易に理解できるように、本発明によれば、デジタルテレビ放送の番組選択を行う際、操作ボタンを押したことによる反応が早く、使用者が操作したことを即座に確認できるため誤操作を誘発させずにすむ。
【図面の簡単な説明】
【図１】デジタル放送受信システムの概略構成図である。
【図２】従来のＩＲＤの概略構成ブロック図である。
【図３】本発明の第１実施例のＩＲＤの概略構成ブロック図。
【図４】リモコンの平面図である。
【図５】第１実施例におけるチャンネル変更のフローチャートである。
【図６】第１実施例１における番組情報の記憶内容例である。
【図７】第２実施例のＩＲＤの概略構成ブロック図である。
【図８】第２実施例における番組検索の表示例である。
【図９】第２実施例における番組検索結果の表示例である。
【図１０】第２実施例における番組変更のフローチャートの一部である。
【図１１】第２実施例における番組変更のフローチャートの残りである。
【符号の説明】
１，１ａ，１ｂ：ＩＲＤ（Ｉｎｔｅｇｒａｔｅｄ  Ｒｅｃｅｉｖｅｒ／Ｄｅｃｏｄｅｒ）
２：モニタ
３：映像音声信号ケーブル
４：リモートコントローラ（リモコン）
５：アンテナ
２０１：放送受信手段
２０２：デマルチプレクサ
２０３：ＭＰＥＧ２ビデオデコーダ
２０４：表示データ生成手段
２０５：ＭＰＥＧ２オーディオデコーダ
２０６：Ｄ／Ａ変換器
２０７：ＣＰＵ
２０８：コンディショナル・アクセス・モジュール（ＣＡＭ）
２０９：番組情報記憶手段
２１０：操作手段
２１１：ＴＳ切替手段
２１２：ＴＳ蓄積手段
３０１：放送受信手段
３０２：ＴＳ切替手段
４０１：操作ボタン
４０２：送信部
７０１：放送受信手段
７０２：デマルチプレクサ
７０３：ＭＰＥＧ２ビデオデコーダ
７０４：ＭＰＥＧ２オーディオデコーダ
７０５：コンディショナル・アクセス・モジュール（ＣＡＭ）
７０６：ＴＳ切替手段
【図１】
2004194031.tif 000003
【図２】
2004194031.tif 000004
【図３】
2004194031.tif 000005
【図４】
2004194031.tif 000006
【図５】
2004194031.tif 000007
【図６】
2004194031.tif 000008
【図７】
2004194031.tif 000009
【図８】
2004194031.tif 000010
【図９】
2004194031.tif 000011
【図１０】
2004194031.tif 000012
【図１１】
2004194031.tif 000013